(57)【要約】      （修正有）【課題】包装された硬貨を取り出しやすいように包装を開封することができる包装硬貨開封装置を提供する。【解決手段】所定枚数の硬貨を包装材で包装した包装硬貨１００を開封する包装硬貨開封装置を、包装硬貨１００を保持する包装硬貨保持部と、包装硬貨保持部が保持する包装硬貨１００の包装材を、包装硬貨１００の周方向に対して交差する方向に切断する切断部とによって構成する。切断部は例えば、熱を発する発熱部１０からなる。【選択図】図３
2018142144.tif 000002
【特許請求の範囲】
【請求項１】
所定枚数の硬貨を包装材で包装した包装硬貨を開封する包装硬貨開封装置であって、
包装硬貨を保持する包装硬貨保持部と、
前記包装硬貨保持部が保持する包装硬貨の包装材を、該包装硬貨の周方向に対して交差する方向に切断する切断部と
を備えることを特徴とする包装硬貨開封装置。
【請求項２】
前記切断部は、熱を発する発熱部を含み、該発熱部によって前記包装材を熱切断することを特徴とする請求項１に記載の包装硬貨開封装置。
【請求項３】
前記発熱部は、予め設定された所定温度を超えないように制御されることを特徴とする請求項２に記載の包装硬貨開封装置。
【請求項４】
前記切断部は、前記包装硬貨の軸方向両端にある包装材の巻込部のうち少なくともいずれか一方を残して前記包装材を切断することを特徴とする請求項１又は２に記載の包装硬貨開封装置。
【請求項５】
前記包装硬貨保持部は、包装硬貨を載置するための溝部を有し、
前記切断部は、前記溝部に載置された包装硬貨の包装材を切断する
ことを特徴とする請求項１〜４のいずれか１項に記載の包装硬貨開封装置。
【請求項６】
前記包装硬貨保持部は、包装硬貨を挿入するための孔部を有し、
前記切断部は、前記孔部に挿入された包装硬貨の包装材を切断することを特徴とする請求項１〜５のいずれか１項に記載の包装硬貨開封装置。
【請求項７】
前記切断部が配置された基台部と、
前記包装硬貨保持部と前記基台部との間を接続する弾性部材と
をさらに備え、
前記弾性部材による弾性力に反して前記包装硬貨保持部又は前記基台部を移動させて、前記切断部で前記包装硬貨を切断する
ことを特徴とする請求項１〜６のいずれか１項に記載の包装硬貨開封装置。
【請求項８】
前記包装硬貨保持部は、包装硬貨の軸方向一端側の一部を前記包装硬貨保持部の外側に露出した状態で前記包装硬貨を保持することを特徴とする請求項１〜７のいずれか１項に記載の包装硬貨開封装置。
【請求項９】
前記切断部による切断を指示するための操作部
をさらに備え、
前記操作部で切断を指示する操作が行われた場合にのみ、前記切断部が前記包装材を切断可能に駆動される
ことを特徴とする請求項１〜８のいずれか１項に記載の包装硬貨開封装置。
【請求項１０】
前記包装硬貨保持部による包装硬貨の保持状態を検知するセンサ
をさらに備え、
前記センサが、前記包装硬貨保持部が前記包装硬貨を切断可能に保持していることを検知した場合にのみ、前記切断部が前記包装材を切断可能に駆動される
ことを特徴とする請求項１〜８のいずれか１項に記載の包装硬貨開封装置。
【請求項１１】
所定枚数の硬貨を包装材で包装した包装硬貨を開封する包装硬貨開封装置であって、
包装硬貨に向けてレーザ光を照射するレーザ照射部と、
前記レーザ照射部によるレーザ光の照射を制御する制御部と
を備え、
前記レーザ照射部からレーザ光を照射して包装硬貨の包装材を該包装硬貨の周方向に対して交差する方向に切断する
ことを特徴とする包装硬貨開封装置。
【請求項１２】
包装硬貨が搬送される搬送路と、
前記搬送路を搬送される前記包装硬貨を検知するセンサと
をさらに備え、
前記センサによる検知結果に基づいて、前記レーザ照射部からレーザ光を照射する
ことを特徴とする請求項１１に記載の包装硬貨開封装置。
【請求項１３】
前記包装硬貨の軸方向両端にある包装材の巻込部のうち少なくともいずれか一方を残して包装材を熱切断することを特徴とする請求項１２に記載の包装硬貨開封装置。
【発明の詳細な説明】
【技術分野】
【０００１】
この発明は、所定枚数の硬貨を包装した包装硬貨を開封する包装硬貨開封装置に関する。
【背景技術】
【０００２】
従来、金融機関や商業施設等では、所定枚数の硬貨を包装した包装硬貨（棒金）を利用して貨幣処理装置への硬貨の補充等を行っている。包装硬貨は、硬貨に包装材を巻き付けて作成する。具体的には、所定枚数の硬貨を積層して円柱状にして、この円柱の両側底面（硬貨面）より外側に巻き代部分を有する幅広の包装材を、円柱側面の外周に沿って密着させながら巻回する。そして、円柱の軸方向両外側にはみ出ている包装材の巻き代部分を硬貨面の方向へ巻き込んで管状の巻込部として包装硬貨を作成する。
【０００３】
こうして作成された包装硬貨を開封してバラす際には、硬貨の外周にきつく巻回された包装材を切断する。例えば、特許文献１には、２つのカッターで包装硬貨両端の巻込部を切り落として包装硬貨を開封する包装硬貨の開封装置が開示されている。この装置は、両端の巻込部を切り落とした後、受け台の上に落下させ、受け台を振動させて硬貨と包装材を分離する。
【先行技術文献】
【特許文献】
【０００４】
【特許文献１】特開平９−９９９２９号公報
【発明の概要】
【発明が解決しようとする課題】
【０００５】
しかしながら、上記従来技術では、包装硬貨に含まれる１枚の硬貨の外周に沿うようにして包装硬貨の包装材を円周方向に切断する。このため、例えば包装硬貨の包装材を円周方向に全周切断して２つに分離した場合でも、それぞれの硬貨の外周には包装材がきつく巻回された状態のままであるため、包装材から硬貨を取り出しにくいという問題があった。
【０００６】
本発明は、上述した従来技術による問題点を解消するためになされたもので、硬貨を取り出しやすいように包装硬貨を開封することができる包装硬貨開封装置を提供することを目的とする。
【課題を解決するための手段】
【０００７】
上述した課題を解決し、目的を達成するため、本発明は、所定枚数の硬貨を包装材で包装した包装硬貨を開封する包装硬貨開封装置であって、包装硬貨を保持する包装硬貨保持部と、前記包装硬貨保持部が保持する包装硬貨の包装材を、該包装硬貨の周方向に対して交差する方向に切断する切断部とを備えることを特徴とする。
【０００８】
また、本発明は、上記発明において、前記切断部は、熱を発する発熱部を含み、該発熱部によって前記包装材を熱切断することを特徴とする。
【０００９】
また、本発明は、上記発明において、前記発熱部は、予め設定された所定温度を超えないように制御されることを特徴とする。
【００１０】
また、本発明は、上記発明において、前記切断部は、前記包装硬貨の軸方向両端にある包装材の巻込部のうち少なくともいずれか一方を残して前記包装材を切断することを特徴とする。
【００１１】
また、本発明は、上記発明において、前記包装硬貨保持部は、包装硬貨を載置するための溝部を有し、前記切断部は、前記溝部に載置された包装硬貨の包装材を切断することを特徴とする。
【００１２】
また、本発明は、上記発明において、前記包装硬貨保持部は、包装硬貨を挿入するための孔部を有し、前記切断部は、前記孔部に挿入された包装硬貨の包装材を切断することを特徴とする。
【００１３】
また、本発明は、上記発明において、前記切断部が配置された基台部と、前記包装硬貨保持部と前記基台部との間を接続する弾性部材とをさらに備え、前記弾性部材による弾性力に反して前記包装硬貨保持部又は前記基台部を移動させて、前記切断部で前記包装硬貨を切断することを特徴とする。
【００１４】
また、本発明は、上記発明において、前記包装硬貨保持部は、包装硬貨の軸方向一端側の一部を前記包装硬貨保持部の外側に露出した状態で前記包装硬貨を保持することを特徴とする。
【００１５】
また、本発明は、上記発明において、前記切断部による切断を指示するための操作部をさらに備え、前記操作部で切断を指示する操作が行われた場合にのみ、前記切断部が前記包装材を切断可能に駆動されることを特徴とする。
【００１６】
また、本発明は、上記発明において、前記包装硬貨保持部による包装硬貨の保持状態を検知するセンサをさらに備え、前記センサが、前記包装硬貨保持部が前記包装硬貨を切断可能に保持していることを検知した場合にのみ、前記切断部が前記包装材を切断可能に駆動されることを特徴とする。
【００１７】
また、本発明は、所定枚数の硬貨を包装材で包装した包装硬貨を開封する包装硬貨開封装置であって、包装硬貨に向けてレーザ光を照射するレーザ照射部と、前記レーザ照射部によるレーザ光の照射を制御する制御部とを備え、前記レーザ照射部からレーザ光を照射して包装硬貨の包装材を該包装硬貨の周方向に対して交差する方向に切断することを特徴とする。
【００１８】
また、本発明は、上記発明において、包装硬貨が搬送される搬送路と、前記搬送路を搬送される前記包装硬貨を検知するセンサとをさらに備え、前記センサによる検知結果に基づいて、前記レーザ照射部からレーザ光を照射することを特徴とする。
【００１９】
また、本発明は、上記発明において、前記包装硬貨の軸方向両端にある包装材の巻込部のうち少なくともいずれか一方を残して包装材を熱切断することを特徴とする。
【発明の効果】
【００２０】
本発明によれば、円柱形状に包装された包装硬貨の包装材を、円柱形状の周方向と交差する方向に切断するので、周方向に切断する場合に比べて、包装硬貨を開封して硬貨を取り出す作業を容易に行うことができる。
【図面の簡単な説明】
【００２１】
【図１】図１は、包装硬貨開封装置の構成を示す図である。
【図２】図２は、包装硬貨の開封について説明するための図である。
【図３】図３は、包装硬貨開封装置の外観の例を示す図である。
【図４】図４は、包装硬貨開封装置による包装材の切断方法を説明するための図である。
【図５】図５は、発熱部の例を示す図である。
【図６】図６は、包装硬貨開封装置の利用例を説明するための図である。
【図７】図７は、包装硬貨開封装置の具体的な構造の例を示す図である。
【図８】図８は、基台部への包装硬貨保持部の取付方法を説明するための図である。
【図９】図９は、基台部に対する包装硬貨保持部の動きを説明するための図である。
【図１０】図１０は、包装硬貨保持部を押し下げた状態を示す断面模式図である。
【図１１】図１１は、包装硬貨保持部の別の取付方法を説明するための図である。
【図１２】図１２は、包装硬貨保持部のさらに別の取付方法を説明するための図である。
【図１３】図１３は、包装硬貨を載置する溝部を塞ぐ蓋体の例を示す図である。
【図１４】図１４は、蓋体の開閉を自動制御する例を説明する模式図である。
【図１５】図１５は、包装硬貨保持部に包装硬貨の軸方向一部を載置する包装硬貨開封装置の例を示す図である。
【図１６】図１６は、包装硬貨保持部に設けた孔部に包装硬貨を挿入する包装硬貨開封装置の外観の例を示す図である。
【図１７】図１７は、図１６に示す包装硬貨開封装置による熱切断の方法を説明するための図である。
【図１８】図１８は、発熱部を自動的に移動させる例を示す図である。
【図１９】図１９は、レーザ光を照射して包装材を熱切断する方法を説明するための図である。
【図２０】図２０は、複数の包装硬貨を連続搬送する貨幣処理装置に設けた包装硬貨開封装置を説明するための図である。
【図２１】図２１は、貨幣処理装置で利用する包装硬貨開封装置の例を示す図である。
【図２２】図２２は、別の貨幣処理装置で利用する包装硬貨開封装置の例を示す図である。
【発明を実施するための形態】
【００２２】
以下に、添付図面を参照して、本発明に係る包装硬貨開封装置について詳細を説明する。まず、本発明に係る包装硬貨開封装置の概要について説明すると、包装硬貨開封装置は、包装硬貨を開封するため、該包装硬貨の包装材を切断部によって切断する。切断部は、円柱形状の包装硬貨の円周方向と交差する方向、すなわち円柱軸方向又は円柱軸方向と角度を成した斜め方向に包装材を切断する。これにより、包装硬貨から硬貨を取り出す作業を容易に行うことができる。様々な方法で包装材を切断することができるが、包装材を熱によって切断すれば、硬貨に傷をつけずに包装硬貨を開封することができる。本実施形態では、包装硬貨の包装材を熱切断する包装硬貨開封装置を例に説明する。
【００２３】
図１は、包装硬貨開封装置１の構成を示す図である。図１に示すように、包装硬貨開封装置１は、発熱部１０、電源部２０、報知部３０、センサ部４０、操作部５０及び制御部６０を有する。
【００２４】
発熱部１０は、包装硬貨１００の包装材を熱切断する切断部として機能する。例えば、発熱部１０として、ニクロム線、カンタル線等の電熱線を利用する。ただし、包装材を熱切断することができれば、発熱部１０として利用する材料は特に限定されず、他の金属材を利用する態様であってもよいし、セラミック等の非金属材を利用する態様であってもよい。
【００２５】
包装硬貨開封装置１は、発熱した発熱部１０と包装硬貨１００の包装材とを接触させて、包装材を溶融させることにより熱切断する。発熱部１０の位置を固定して、包装硬貨１００を移動して発熱部１０に接触させてもよいし、包装硬貨１００の位置を固定して、発熱部１０を移動して包装硬貨１００に接触させてもよい。
【００２６】
また、発熱部（切断部）１０として、包装硬貨１００の包装材を溶融可能なレーザ光を照射するレーザ照射装置を利用してもよい。レーザを熱源として利用すれば、非接触で包装材を熱切断することができる。この場合についても、レーザを照射するレーザ照射装置の位置を固定して、包装硬貨１００を移動させながら包装材を熱切断してもよいし、包装硬貨１００の位置を固定して、レーザ照射装置から照射するレーザ光を移動させて包装材を熱切断してもよい。また、包装硬貨１００及びレーザ照射装置の双方を移動させながら包装材を熱切断してもよい。
【００２７】
電源部２０は、発熱部１０に電源を供給する。電源部２０をオンにすると発熱部１０に電源が供給され、電源部２０をオフにすると発熱部１０への電源供給が停止される。発熱部１０が電熱線等の発熱体である場合は、電源部２０が発熱部１０に電圧を印加することにより発熱部１０を発熱させる。すなわち、電源部２０から発熱部１０に電源を供給することにより、包装硬貨の包装材を熱切断可能な状態に発熱部１０を駆動する。発熱部１０がレーザ照射装置である場合は、電源部２０がレーザ駆動用電源として機能する。
【００２８】
報知部３０は、音と光の少なくともいずれか一方を発して利用者への報知を行う。報知部３０は、例えば、発熱部１０の温度が包装材を熱切断可能な温度に達したこと、包装硬貨１００が所定位置にセットされていないこと、熱切断を完了したこと等を報知する。
【００２９】
センサ部４０は、発熱部１０による発熱温度を検知するセンサを含み、発熱部１０が予め設定された所定温度以上に発熱することを防止するために利用される。この他、センサ部４０には、包装硬貨開封装置１にセットされた包装硬貨１００の有無を検知するセンサ、包装硬貨１００のセット位置を検知するセンサ、包装硬貨１００の動きを検知するセンサ等、包装硬貨開封装置１の状態を検知する様々なセンサが含まれるが詳細は後述する。
【００３０】
操作部５０は、包装硬貨開封装置１の利用者による手動操作を受け付ける機能を有する。制御部６０は、電源部２０、報知部３０、センサ部４０及び操作部５０と接続され、これら各部を制御する機能を有する。例えば、利用者が操作部５０で熱切断開始の指示操作を行うと、制御部６０がこれを認識して電源部２０を制御し、発熱部１０に電源を供給する。また、例えば、制御部６０は、センサ部４０が、発熱部１０の発熱温度が所定の設定温度に達したことを検知すると、電源部２０による電源供給を停止する。
【００３１】
図２は、包装硬貨１００の開封について説明するための図である。図２（ａ）は、包装硬貨１００の断面を模式的に示す図である。図２（ｂ）及び（ｃ）は、包装硬貨１００の包装材１０１を発熱部１０によって熱切断した切断線１１０の例を示す図である。
【００３２】
図２（ａ）に示すように、包装硬貨１００は、円柱形状にまとめた例えば５０枚の硬貨１０２の外周に、これら５０枚の硬貨１０２よりも軸方向に幅の広い包装材１０１を複数回巻回し、包装材１０１の両外側にはみ出た巻き代部分を硬貨面の方向へ巻き込んで管状の巻込部１０１ａとして形成されている。
【００３３】
例えば、ポリエチレン等のプラスチック材を包装材１０１として利用する。ポリエチレン等の熱可塑性樹脂を包装材１０１として利用することにより、発熱した発熱部１０との接触、レーザ光の照射等によって包装材１０１に熱を加えて熱切断することができる。包装材１０１として紙を利用する場合でも、包装材１０１に加える熱の温度及び時間を制御すれば熱切断することが可能であるが、包装硬貨開封装置１が開封対象とする包装硬貨１００の包装材１０１は樹脂製であることが好ましい。
【００３４】
例えば、図２（ｂ）に示すように、包装硬貨開封装置１は、円柱形状を有する包装硬貨１００の軸方向（図２左右方向）両端にある巻込部１０１ａの間の領域で、切断線１１０が軸方向と平行となるように包装材１０１を熱切断する。また、例えば、図２（ｃ）に示すように、包装硬貨開封装置１は、包装硬貨１００の軸方向両端にある巻込部１０１ａの間の領域で、切断線１１０が軸方向と角度を成した斜め方向となるように包装材１０１を熱切断する。すなわち、包装硬貨開封装置１は、切断線１１０が、円柱形状を有する包装硬貨１００の円周方向と交差するように、巻込部１０１ａは切断せずにそのまま残して他の領域を熱切断する。切断線１１０の深さは包装材１０１の厚み全域に至り、切断線１１０を挟んで包装材１０１が２つの領域に分離される。
【００３５】
図２（ｃ）に示す円柱軸と切断線１１０との間の角度αは、例えば、包装硬貨開封装置１が開封対象とする包装硬貨１００のうち、硬貨径が最小の包装硬貨１００に合わせて設定される。例えば、日本の硬貨では、最小径の１円硬貨の硬貨径が２０ｍｍ、厚みが１．５ｍｍで、１円硬貨５０枚を包装した包装硬貨１００は、直径が約２０ｍｍ、軸方向両端の巻込部１０１ａを含む軸方向の長さが約８０ｍｍとなる。この場合、図２（ａ）の左端部にある巻込部１０１ａ上端と、右端部にある巻込部１０１ａの下端とを結ぶ直線が、軸方向との間で成す角度が約１４度となる。このため、日本の包装硬貨１００を対象とする場合は、図２（ｃ）に示す角度αが１４度以下となるように設定される。
【００３６】
次に、包装硬貨開封装置１の構造について説明する。図３〜図１８を参照しながら、発熱部１０として電熱線等の発熱体を利用する包装硬貨開封装置１の例を説明して、図１９〜図２２を参照しながら、発熱部１０としてレーザ光を利用する包装硬貨開封装置１の例を説明する。
【００３７】
図３は、包装硬貨開封装置１の外観の例を示す図である。図４は、包装硬貨開封装置１による包装材の切断方法を説明するための図である。図４（ａ）は、包装硬貨開封装置１に包装硬貨１００を載置した際の装置断面を模式的に示している。図４（ｂ）は、包装硬貨１００の包装材を熱切断する際の装置断面を模式的に示している。
【００３８】
図３に示す包装硬貨開封装置１は、包装硬貨保持部２０１と基台部２０２とを含む。包装硬貨保持部２０１及び基台部２０２は、例えば、ベークライト等の熱硬化性樹脂によって形成されている。包装硬貨保持部２０１には、報知部３０として機能するＬＥＤランプが設けられている。包装硬貨保持部２０１の上面には、包装硬貨１００を載置するための略半円柱形状の溝部が形成されている。溝部は、熱切断の対象とする複数種類の包装硬貨を載置できるように形成されている。溝部の最下面近傍には、溝部に載置される包装硬貨１００の軸方向と同一方向に細長い矩形の貫通孔２０４が形成されている。
【００３９】
図４（ａ）に示すように、包装硬貨保持部２０１と基台部２０２との間はバネ材（弾性部材）２０３によって接続されている。包装硬貨保持部２０１は、一端が基台部２０２に固定された複数のバネ材２０３の他端によって、上下方向に移動可能に支持されている。基台部２０２には発熱部１０が設けられている。また、基台部２０２には、包装硬貨保持部２０１の下方向への移動を所定範囲内に規制するための複数の規制部２０２ａが設けられている。
【００４０】
包装硬貨１００を包装硬貨保持部２０１の溝部に載置した状態では、図４（ａ）に示すように、バネ材２０３によって、包装硬貨１００と発熱部１０との間の隙間が維持される。包装硬貨保持部２０１に載置した包装硬貨１００を下方向に押し下げると、バネ材２０３が圧縮されて包装硬貨保持部２０１が下方へ移動する。包装硬貨保持部２０１の貫通孔２０４は、包装硬貨１００の軸方向に長い発熱部１０に合わせて設けられている。包装硬貨保持部２０１の下方への移動に伴って、発熱部１０が貫通孔２０４から溝部内へ進入する。そして、図４（ｂ）に示すように、包装硬貨１００下面の包装材と発熱部１０の上面とが接触する。すなわち、包装硬貨保持部２０１に載置した包装硬貨１００を押し下げると、包装硬貨１００の下面が、基台部２０２に設けた発熱部１０に押し当てられる。
【００４１】
基台部２０２の規制部２０２ａは、包装硬貨保持部２０１の下面が規制部２０２ａに接触した際に、包装硬貨保持部２０１に載置された包装硬貨１００の下面が発熱部１０の上面と接触し、かつ、包装硬貨１００の下面と発熱部１０の上面とが平行になるように設けられている。
【００４２】
包装硬貨保持部２０１に載置した包装硬貨１００を手で押し下げる際に、包装硬貨１００が斜めの状態になることがある。図４に示す包装硬貨保持部２０１の右側又は左側が先に下がって下面の一方側が先に基台部２０２の規制部２０２ａに接触した場合でも、その後に包装硬貨保持部２０１の他方側が下がって下面が基台部２０２の規制部２０２ａに接触する。これにより、包装硬貨１００を押さえる位置によらず、包装硬貨１００の下面を、発熱部１０の上面と平行な状態で発熱部１０に接触させることができる。
【００４３】
バネ材２０３として、例えば圧縮コイルバネを利用する。ただし、基台部２０２に対して移動可能に包装硬貨保持部２０１を支持する弾性部材であれば、バネ材２０３として、引張コイルバネ、皿バネ、板バネ等を利用する態様であっても構わない。
【００４４】
また、包装硬貨１００の包装材を熱切断することができれば発熱部１０の形状も特に限定されない。図５は、発熱部１０の例を示す図である。発熱部１０は、図５（ａ）に示すように、包装硬貨１００の軸方向に長い、薄板形状であってもよいし、図５（ｂ）に示すように線形状であってもよいし、図５（ｃ）に示すようにコイル形状であってもよい。また、発熱部１０が断面円形状の棒状体であってもよい。棒状体の断面形状も特に限定されず、楕円形であってもよいし、三角形等の多角形であってもよい。例えば、金属やセラミックの棒状体を発熱部１０として利用する態様であってもよい。
【００４５】
図５（ｃ）に示すように線材をコイル形状にした発熱部１０は、包装硬貨１００が接触した際に容易に撓む。このため、発熱部１０が必要以上に撓まないように、発熱部１０の下側にガイド６１を配置する。コイル状にした発熱部１０を利用する場合は、切断線がコイルピッチに応じた斜線の連続となるが、コイルピッチを小さくすれば、包装材が溶融して形成される切断線を略連続した線形状とすることができる。
【００４６】
図２（ｃ）に示すように包装硬貨１００の軸方向に対して傾いた斜め方向に切断する場合は、包装硬貨１００の外周に沿う発熱部１０を利用する。例えば、図５（ａ）に示す薄板形状の発熱部１０を、包装硬貨１００の軸方向に対して角度を成した斜めの状態で基台部２０２に設ける。そして、この薄板形状の発熱部１０の形状を包装硬貨１００の外周に沿う湾曲形状とする。
【００４７】
また、例えば、図５（ｂ）に示す線形状の発熱部１０を、包装硬貨１００の軸方向に対して角度を成した斜めの状態で基台部２０２に設ける。そして、包装硬貨１００を押し付けた際に発熱部１０が撓んで、包装硬貨１００の外周に斜めに巻き付くようにして接触するように、発熱部１０を支持する。
【００４８】
また、例えば、図５（ｃ）に示すコイル形状の発熱部１０を、包装硬貨１００の軸方向に対して角度を成した斜めの状態で基台部２０２に設ける。コイル形状の発熱部１０は、包装硬貨１００を押し付けたときに撓み、包装硬貨１００の外周に斜めに巻き付くようにして接触する。このとき発熱部１０が必要以上に撓まないように、撓みを規制するガイド６１を利用する
【００４９】
図６は、包装硬貨開封装置１の利用例を説明するための図である。例えば、図６（ａ）に示すように、包装硬貨開封装置１は、店舗のキャッシュレジスタで利用される硬貨釣銭機３０１、紙幣釣銭機３０２及び包装硬貨管理機３０３と共に利用される。また、例えば、図６（ｂ）及び（ｃ）に示すように、包装硬貨開封装置１は、包装硬貨管理機３０３のドロア内で利用される。包装硬貨開封装置１はドロア内で横向きに設置してもよいし縦向きに設置してもよい。硬貨釣銭機３０１及び紙幣釣銭機３０２を利用した取引方法、包装硬貨管理機３０３を予備の紙幣及び硬貨を保管する補助保管装置として利用する方法は、従来知られているため説明は省略する。
【００５０】
硬貨釣銭機３０１内に収納された硬貨が不足した際に、利用者は、包装硬貨管理機３０３から包装硬貨１００を取り出して開封し、得られたバラ硬貨を硬貨釣銭機３０１に補充する。このとき、包装硬貨開封装置１を利用して包装硬貨１００を開封する。
【００５１】
図６（ａ）に示す例では、包装硬貨管理機３０３のドロアから取り出した包装硬貨１００を、包装硬貨管理機３０３の外側に設置された包装硬貨開封装置１で開封する。また、図６（ｂ）及び（ｃ）に示す例では、包装硬貨管理機３０３ドロア内の包装硬貨収納部から取り出した包装硬貨１００を、ドロア内に設置された包装硬貨開封装置１で開封する。
【００５２】
包装硬貨開封装置１は、利用者の手動操作を受け付けて熱切断を行う態様であってもよいし、自動的に熱切断を行う態様であってもよい。包装硬貨開封装置１が、手動操作を受け付けて熱切断を行う場合、利用者は、図４（ａ）に示すように包装硬貨保持部２０１の溝部に包装硬貨１００をセットする。そして、利用者は、一方の手で包装硬貨１００を押し下げると共に、他方の手で操作部５０を操作して包装硬貨１００の熱切断を指示する。例えば、包装硬貨開封装置１の操作用に専用に設けた、図示しない押しボタンを操作部５０として利用する。
【００５３】
利用者が操作部５０で熱切断を指示する操作を行うと、これを認識した制御部６０は、電源部２０をオンにする。利用者が一方の手で押し下げた包装硬貨１００は、図４（ｂ）に示すように、包装材が発熱部１０に接触した状態にある。電源部２０をオンにして発熱部１０が発熱し、所定温度に達すると、包装硬貨１００の包装材が熱切断される。制御部６０は、発熱部１０の温度を監視するために設けられたセンサ部４０で、発熱部１０が、予め設定された設定温度に達したことを検知すると、電源部２０をオフにする。また、制御部６０は、図３に示す報知部３０のＬＥＤランプを点灯して、熱切断を終えたことを利用者に報知する。熱切断完了を報知したＬＥＤランプは所定時間経過後に消灯する。
【００５４】
なお、電源部２０の制御については、以下に記載する発熱部１０の例を含め、発熱部１０が、包装材を熱切断可能に所定温度に達した後、さらに温度が上がって、予め設定された設定温度に達したところで制御部６０が電源部２０をオフにする態様であってもよいし、発熱部１０が包装材を熱切断する所定温度に達した後、所定時間が経過した後に制御部６０が電源部２０をオフにする態様であってもよい。
【００５５】
報知部３０による報知を受けた利用者が、包装硬貨１００を押し下げていた手を離し、包装硬貨保持部２０１の溝部から包装硬貨１００を取り出す。包装硬貨１００の包装材は、両端の巻込部１０１ａの間で、包装硬貨１００の軸方向と平行又は軸方向と所定角度を成した斜め方向に熱切断されている。これにより、利用者は、包装硬貨１００を開封して硬貨を取り出す作業を容易に行うことができる。
【００５６】
一方の手で包装硬貨保持部２０１の包装硬貨１００を押さえながら、他方の手で操作部５０を操作しなければ発熱部１０は発熱しない。例えば、誤って包装硬貨保持部２０１を押し下げて発熱部１０に手が触れたとしても、操作部５０を操作しなければ発熱部１０は発熱しないので、利用者は包装硬貨開封装置１を安全に使用することができる。
【００５７】
なお、操作部５０については、押しボタン等の専用のボタンを設ける態様の他、硬貨釣銭機３０１の操作部、紙幣釣銭機３０２の操作部、包装硬貨管理機３０３の操作部又はキャッシュレジスタの操作部を、操作部５０として利用する態様であってもよい。硬貨釣銭機３０１、紙幣釣銭機３０２、キャッシュレジスタ等の外部装置と、包装硬貨開封装置１の制御部６０とを通信可能に接続すれば、制御部６０は、これら外部装置の操作部で行われた指示操作を入力信号として受け付けて、上述したように電源部２０を制御することができる。
【００５８】
包装硬貨開封装置１が自動的に熱切断を行う場合、利用者は、図４（ａ）に示すように包装硬貨保持部２０１の溝部に包装硬貨１００をセットして、包装硬貨１００を押し下げる。図４（ｂ）に示すように、押し下げられた包装硬貨１００の包装材が発熱部１０に接触した状態になると、制御部６０は、これを検知して電源部２０をオンにする。
【００５９】
制御部６０は、センサ部４０を利用して、包装硬貨１００が発熱部１０に接触した状態になったことを検知する。例えば、包装硬貨保持部２０１が押し下げられて基台部２０２の規制部２０２ａに接触したことを検知する光学式センサ、機械式センサ等のセンサを設けて、包装硬貨１００と発熱部１０の接触を検知する。
【００６０】
電源部２０がオンになり、発熱部１０が発熱して所定温度に達すると、包装硬貨１００の包装材が熱切断される。制御部６０は、発熱部１０の温度監視用に設けたセンサ部４０で、発熱部１０が予め設定された設定温度に達したことを検知すると、電源部２０をオフにすると共に、図３に示す報知部３０のＬＥＤランプを点灯して、熱切断を終えたことを利用者に報知する。熱切断完了を報知したＬＥＤランプは所定時間経過後に消灯する。
【００６１】
報知部３０による報知を受けた利用者が、包装硬貨１００を押さえていた手を離し、包装硬貨保持部２０１の溝部から包装硬貨１００を取り出す。この場合も、包装硬貨１００の包装材は、両端の巻込部１０１ａの間で、包装硬貨１００の軸方向と平行又は軸方向と所定角度を成した斜め方向に熱切断されているので、利用者は、包装硬貨１００を開封して硬貨を取り出す作業を容易に行うことができる。
【００６２】
自動的に熱切断を開始する場合、利用者が誤って包装硬貨保持部２０１を押し下げても発熱部１０が発熱しないように、包装硬貨開封装置１には安全対策が施されている。具体的には、制御部６０は、包装硬貨保持部２０１が、包装硬貨１００が載置された状態で押し下げられたのか、包装硬貨１００が無い状態で押し下げられたのかを区別して、包装硬貨１００が載置されている場合にのみ電源部２０をオンにする。
【００６３】
例えば、包装硬貨保持部２０１に包装硬貨１００を載置した際に、貫通孔２０４から装置内に入る光が遮断される装置内の複数位置それぞれに、光を検知するセンサを設ける。複数のセンサは、包装硬貨保持部２０１に包装硬貨１００が載置された状態で押し下げられた場合と、包装硬貨１００が無い状態で押し下げられた場合とを区別できるように、載置される包装硬貨１００の軸方向に離れた位置に配置される。制御部６０は、複数位置に配置したセンサの検知結果に基づいて、包装硬貨保持部２０１に包装硬貨が載置された状態で押し下げられた場合にのみ電源部２０をオンにし、包装硬貨１００が無い状態で押し下げられた場合は電源部２０をオンにせずオフのままとする。すなわち、包装硬貨保持部２０１が包装硬貨１００を切断可能に保持している場合にのみ、切断部として機能する発熱部１０を、包装材を切断可能に駆動する。これにより、利用者は、包装硬貨開封装置１を安全に使用することができる。
【００６４】
また、例えば、機械式のセンサとして、包装硬貨保持部２０１の下方に複数の押しボタン型のスイッチを設ける。そして、全てのボタンスイッチが同時に押された場合にのみ、制御部６０が、電源部２０をオンにする態様であってもよい。包装硬貨保持部２０１の下面が、基台部２０２に設けられた全ての規制部２０２ａに接する位置まで完全に押し下げられたことを検知するため、載置された包装硬貨１００の軸方向に離れた位置に複数のボタンスイッチを配置する。包装硬貨保持部２０１が完全に押し下げられたことをボタンスイッチで検知した場合にのみ発熱部１０を発熱させることで、利用者は包装硬貨開封装置１を安全に使用することができる。
【００６５】
熱切断を手動で開始する場合も自動的に開始する場合も、電源部２０をオフにする制御は、発熱部１０の温度に基づいて自動的に行われる。これにより、発熱部１０が異常な高温となることを防止して、包装硬貨開封装置１を安全に使用することができる。
【００６６】
なお、発熱部１０の温度が高温になり過ぎることを防止する方法については、センサ部４０によって温度を検知して制御する態様の他、時間に基づいて制御する態様であってもよい。発熱部１０に印加する電圧値及び印加時間と発熱温度との関係を示す発熱特性に基づいて、電源部２０から発熱部１０に印加する電圧値及び印加時間を予め設定する。電圧値及び印加時間は、発熱部１０が高温になり過ぎないように設定する。また、設定した電圧値及び印加時間で発熱部１０を発熱させた後、発熱部１０を冷却するため、発熱後の経過時間と発熱部１０の温度変化の関係を示す冷却特性に基づいて、発熱部１０への電圧印加を禁止する冷却時間を予め設定する。設定した電圧値及び印加時間に基づいて電源部２０を制御して発熱部１０を発熱させた後、電源部２０をオフにした状態でも包装硬貨１００の包装を熱切断可能な時間を冷却時間として設定する。制御部６０は、電源部２０をオンにすると同時に時間の計測を開始して、予め設定した印加時間が経過すると電源部２０をオフにする。制御部６０は、電源部２０をオフにした後、冷却時間が経過するまでは、手動操作又は自動制御により通常は電源部２０をオンにする状況であっても、電源部２０のオフ状態を維持する。これにより、発熱部１０が異常な高温となることを防止して、包装硬貨開封装置１を安全に使用することができる。
【００６７】
次に、包装硬貨開封装置１の具体的な構造例を説明する。図７は、包装硬貨開封装置１の具体的な構造の例を示す図である。図７に示す包装硬貨開封装置１は、包装硬貨保持部２１１と基台部２１２とを含む。
【００６８】
包装硬貨保持部２１１には、包装硬貨１００を載置する溝部と、溝部に載置した包装硬貨１００を押し下げた際に包装材が発熱部１０と接触するように発熱部１０に対応して設けられた貫通孔２１４と、包装硬貨保持部２１１を基台部２１２に取り付けるための２つの取付穴２１５と、側面を下端から矩形形状に切り欠いた切欠部２１１ａとが設けられている。包装硬貨１００を載置する溝部は、熱切断の対象とする複数種類の包装硬貨を載置できるように形成されている。また、包装硬貨保持部２１１には、包装硬貨１００を載置する略半円柱形状の溝部の他に、この溝部と連続する略直方体形状の窪み２１１ｂが形成されている。包装硬貨保持部２１１に載置した包装硬貨１００を取り出す際に、この窪み２１１ｂに指を入れて包装硬貨１００を容易に取り出せるようになっている。
【００６９】
基台部２１２には、包装硬貨保持部２１１の切欠部２１１ａに対応して側面を上端から矩形形状に切り欠いた切欠部２１２ａと、４つのネジで固定された発熱部１０と、包装硬貨保持部２１１をバネ材２１３によって上下に移動可能に支持する２つの支持軸２１６と、包装硬貨保持部２１１の取付穴２１５に対応する２つの取付軸２１７とが設けられている。支持軸２１６は円柱形状を有し、取付軸２１７は上面及び下面にネジ穴を設けた円筒形状を有する。
【００７０】
発熱部１０は、例えばステンレス等の金属製の薄板で形成されている。図７に示すように、発熱部１０の両端部１０ｂは略９０度に折り曲げられ、各面がネジで基台部２１２に固定されている。発熱部１０は、両端部１０ｂの間に、細長い高温部１０ａを有し、電源部２０による電源を両端部１０ｂに印加すると高温部１０ａが高温に発熱する。高温部１０ａは、薄板を略９０度折り曲げた水平部と垂直部から成る断面Ｌ字形状を有し（図１０参照）、水平部の下面全面及び垂直部の裏面全面が基台部２１２によって支持されている。基台部２１２が高温部１０ａを支持することで、発熱による高温部１０ａの変形を抑制し、かつ、上方から包装硬貨１００を押し付けた際の高温部１０ａの変形を抑制することができる。
【００７１】
包装硬貨保持部２１１を基台部２１２に取り付けた際に、包装硬貨保持部２１１の側面の切欠部２１１ａと、基台部２１２の側面の切欠部２１２ａとによって、包装硬貨開封装置１の内部と外部とが連通する。これにより、電源部２０から電圧を印加するためのケーブルを装置内へ挿入して発熱部１０の両端部１０ｂに接続することができる。
【００７２】
図８は、基台部２１２への包装硬貨保持部２１１の取付方法を説明するための図である。図９は、基台部２１２に対する包装硬貨保持部２１１の動きを説明するための図である。図８（ａ）及び図９（ａ）は、包装硬貨１００が包装硬貨保持部２０１に載置された状態を示している。図８（ｂ）及び図９（ｂ）は、包装硬貨保持部２０１に載置した包装硬貨１００を押し下げた状態を示している。
【００７３】
図８（ａ）に示すように、取付軸２１７は、基台部２１２の裏面側からネジ２１８ｂで基台部２１２に固定されている。取付穴２１５は、上側の内径がネジ２１８ａを容易に挿入できる大きさである一方、下側の固定穴２１５ａの内径はネジ２１８ａの座面外径より小さくなっている。取付軸２１７の上面ネジ穴にネジ２１８ａを取り付けると、包装硬貨保持部２１１は、固定穴２１５ａの上面がネジ２１８ａの座面と接する位置を超えて上方に移動できなくなる。
【００７４】
図９（ａ）に示すように、包装硬貨保持部２１１の裏面には、基台部２１２の支持軸２１６に対応して、支持軸２１６を挿入可能な円柱形状の非貫通孔２１９が形成されている。図８（ａ）に示す取付軸２１７及び取付穴２１５と、図９（ａ）に示す支持軸２１６及び非貫通孔２１９とによって、基台部２１２に対する水平方向の包装硬貨保持部２１１の移動が規制される。すなわち、基台部２１２に対して包装硬貨保持部２１１が位置決めされる。
【００７５】
支持軸２１６に通した状態で基台部２１２に取り付けられたバネ材２１３の内径は、包装硬貨保持部２１１の非貫通孔２１９の内径より大きい。図８（ａ）に示すように包装硬貨保持部２１１を基台部２１２に取り付けた際には、図９（ａ）に示すバネ材２１３は、自然長より短い状態に圧縮されている。圧縮されたバネ材２１３によって包装硬貨保持部２１１が上向きに押し上げられるが、図８（ａ）に示すように、取付軸２１７に固定されたネジ２１８ａによって、包装硬貨保持部２１１の上方への移動が規制される。この結果、包装硬貨保持部２１１は、バネ材２１３によって上向きに付勢された状態で支持される。
【００７６】
包装硬貨保持部２１１に載置した包装硬貨１００を下方に押し下げると、図９（ｂ）に示すようにバネ材２１３が圧縮される。下方に移動した包装硬貨保持部２１１は、下面が、基台部２１２に形成された規制部２１２ｃに接触する位置で停止する。図８（ｂ）に示すように、取付軸２１７の外径は、固定穴２１５ａの内径より小さい。これにより、包装硬貨保持部２１１を、下面が、基台部２１２に形成された規制部２１２ｂに接触する位置まで押し下げることができる。
【００７７】
図１０は、包装硬貨保持部２１１を押し下げた状態を示す断面模式図である。図１０に示すように、包装硬貨保持部２１１は、包装硬貨１００の包装材が発熱部１０に接触する位置まで押し下げられる。基台部２１２の側面上縁に形成された規制部２１２ｂ、２１２ｃによって、図４（ｂ）で説明したように、包装硬貨１００の下面と発熱部１０の上面とが平行な状態となって、包装硬貨１００の包装材が発熱部１０に接触する。これにより、包装硬貨１００の包装材を、円周方向に交差する方向に熱切断することができる。
【００７８】
なお、基台部２１２への包装硬貨保持部２１１の取付方法は、図８に示す態様に限定されない。図１１は、包装硬貨保持部２１１の別の取付方法を説明するための図である。図１２は、包装硬貨保持部２１１のさらに別の取付方法を説明するための図である。
【００７９】
例えば、図１１に示すように、包装硬貨保持部２１１の取付穴２１５に挿入したネジ２１８ａによって、基台部２１２の貫通穴２１２ｄに底面側から挿入した取付軸２１７の上面を包装硬貨保持部２１１に取り付ける。貫通穴２１２ｄ内で取付軸２１７を移動させながら、基台部２１２に対して包装硬貨保持部２１１を下方に押し下げることができる。一方、取付軸２１７の下端にはストッパ２２０が取り付けられており、基台部２１２に対する、包装硬貨保持部２１１の上方への移動が制限されている。このような構成でも、上述したように、バネ材２１３で支持される包装硬貨保持部２１１を押し下げて包装硬貨１００の包装を熱切断することができる。
【００８０】
また、例えば、図１２に示すように、包装硬貨保持部２１１の側面に矩形の貫通穴２１１ｅを設けると共に、これに対応する基台部２１２側面にツメ部２１２ｅを設けて、スナップフィット結合により、包装硬貨保持部２１１を基台部２１２に取り付ける。ツメ部２１２ｅは、貫通穴２１１ｅに挿入可能な凸部を上部外側に有し、基台部２１２内側へ弾性変形可能に設けられている。ツメ部２１２ｅを弾性変形させながら包装硬貨保持部２１１を基台部２１２へ取り付けると、ツメ部２１２ｅの凸部が貫通穴２１１ｅに挿入された状態となる。貫通穴２１１ｅ及びツメ部２１２ｅは、図１２に示す側面と対向する反対側の側面にも設けられている。ツメ部２１２ｅの凸部に対して、貫通穴２１１ｅを上下移動させることで、基台部２１２に対して包装硬貨保持部２１１を上下移動させることができる。このような構成でも、上述したように、バネ材２１３で支持される包装硬貨保持部２１１を押し下げて包装硬貨１００の包装を熱切断することができる。
【００８１】
基台部２１２に設ける発熱部１０についても、高温部１０ａが、図７に示す高温部１０ａのように断面Ｌ字形状を有する態様の他（図１０参照）、図１２に示すように断面Ｉ字形状を有する態様であってもよい。また、高温部１０ａ全面を基台部２１２によって支持する態様に限定されず、図１２に示すように、基台部２１２に設けたリブ２１２ｆによって高温部１０ａの一部を下方から支持する態様であってもよい。
【００８２】
包装硬貨開封装置１が、図１３及び図１４に示すように、包装硬貨を載置する溝部を塞ぐ蓋体を有する態様であってもよい。図１３は、包装硬貨１００を載置する溝部を塞ぐ蓋体２０５の例を示す図である。図１３（ａ）〜（ｃ）の左側の図は、蓋体２０５によって溝部を閉塞した状態を示し、右側の図は、溝部を開放する方法を示している。通常は閉状態にある蓋体２０５を、右側の図に矢印で示すように移動させて開状態とすることができる。
【００８３】
図１３（ａ）は、両開きの扉型の蓋体２０５（２０５ａ、２０５ｂ）を示す図である。この蓋体２０５ａ、２０５ｂは、図示しないバネ部材によって溝部を閉塞する閉状態に付勢されている。包装硬貨１００で蓋体２０５ａ、２０５ｂを押し下げて開状態とすることにより溝部を開放し、上述したように、発熱部１０による熱切断を行うことができる。包装硬貨１００を取り除くと、バネ部材による付勢力によって蓋体２０５ａ、２０５ｂは閉状態に戻る。
【００８４】
図１３（ｂ）は、片開きの扉型の蓋体２０５を示す図である。この蓋体２０５は、つまみ部２０６を有する。蓋体２０５は、図示しないバネ部材によって溝部を閉塞する閉状態に付勢されている。つまみ部２０６を掴んで蓋体２０５を開状態とすることにより溝部を開放する。開放した溝部に包装硬貨１００を載置すれば、上述したように、発熱部１０による熱切断を行うことができる。包装硬貨１００を取り除くと、バネ部材による付勢力によって蓋体２０５は閉状態に戻る。
【００８５】
図１３（ｃ）は、シャッター型の蓋体２０５を示す図である。この蓋体２０５は、つまみ部２０６を有する。蓋体２０５は、図示しないバネ部材によって溝部を閉塞する閉状態に付勢されている。つまみ部２０６を掴んで蓋体２０５をシャッター溝２０７に沿って移動させて開状態とすることにより、溝部を開放する。開放した溝部に包装硬貨１００を載置すれば、上述したように、発熱部１０による熱切断を行うことができる。包装硬貨１００を取り除くと、バネ部材による付勢力によって蓋体２０５は閉状態に戻る。
【００８６】
図１３（ｂ）及び（ｃ）に示す蓋体２０５については、一方の手で蓋体２０５を開いて、他方の手で包装硬貨１００を包装硬貨開封装置１の溝部に載置する。このため、操作部５０を利用せず、自動的に発熱部１０を発熱させる態様であってもよい。具体的には、蓋体２０５が閉状態から開状態になったことを検知するセンサを設け、制御部６０が、センサによる検知結果に基づいて電源部２０を制御して発熱部１０を発熱させる。
【００８７】
また、図１３に示す蓋体２０５を、電磁ロック機構を利用してロックする態様であってもよい。通常は、蓋体２０５を開けないように電磁ロック機構によってロックする。例えば、キャッシュレジスタや包装硬貨管理機３０３から包装硬貨を取り出した利用者が、キャッシュレジスタで所定操作を行うと、電磁ロック解除を指示する信号が包装硬貨開封装置１に送信される。信号を受信した包装硬貨開封装置１が、電磁ロック機構による蓋体２０５のロックを解除することにより、利用者は、蓋体２０５を開いて包装硬貨１００の包装を熱切断することができる。このとき、信号を受信した包装硬貨開封装置１が電磁ロック機構によるロックを解除すると共に、電源部２０をオンにして発熱部１０への電源供給を開始する態様であってもよい。
【００８８】
また、蓋体２０５のロック解除に加えて、蓋体２０５の開閉を自動的に行う態様であってもよい。図１４は、蓋体２０５の開閉を自動制御する例を説明する模式図である。図１４は、包装硬貨１００の軸方向から見た包装硬貨開封装置１の断面を模式的に示している。制御部６０は、図１４に矢印で示すように、シャッター駆動部２０９の駆動を制御して、蓋体２０５をシャッター溝２０７に沿って移動させることができる。通常は、図１４（ａ）に示すように、蓋体２０５が、包装硬貨保持部２０８の溝部を閉塞した閉状態にあり、電磁ロック機構２１０によってロックされている。例えばキャッシュレジスタの操作部で所定操作を行ってロック解除を指示する信号を送信すると、これを受信した制御部６０は、電磁ロック機構２１０によるロックを解除すると共に、電源部２０をオンにして発熱部１０を発熱させる。続いて制御部６０はシャッター駆動部２０９を駆動し、シャッター溝２０７に沿って蓋体２０５を移動させて、図１４（ｂ）に示すように蓋体２０５を開状態にする。報知部３０によって、発熱部１０の温度が所定温度に達したことを確認した利用者は、蓋体２０５が開状態となって開放された溝部に包装硬貨１００を載置して包装硬貨１００の包装を熱切断することができる。報知部３０による報知を行って所定時間が経過すると、制御部６０は、報知部３０による報知を停止すると共に、シャッター駆動部２０９を制御して蓋体２０５を閉状態に戻して電磁ロック機構２１０でロックする。このように、制御部６０が、蓋体２０５のロック及び開閉、電源部２０による発熱部１０への電源供給を制御すれば、利用者は、包装硬貨１００を包装硬貨開封装置１の溝部に載置するだけで熱切断を行うことができる。
【００８９】
熱切断時の包装硬貨１００の保持方法は、包装硬貨１００の軸方向全体を包装硬貨保持部２０１に載置する態様に限定されるものではなく、包装硬貨１００が、軸方向一端側の一部を、包装硬貨保持部２０１の外側に露出した状態で保持される態様であってもよい。図１５は、包装硬貨保持部２０１に包装硬貨１００の軸方向一部を載置する包装硬貨開封装置１の例を示す図である。図１５に示す包装硬貨開封装置１は、図３に示す包装硬貨開封装置１を、該装置に載置する包装硬貨１００の軸方向に短くした構造を有する。具体的には、図１５（ａ）に示すように溝部の一方側が包装硬貨保持部２０１の側面に達しており、図１５（ｂ）に示す内部構造を有している。これにより、利用者は、包装硬貨１００の軸方向一端側を握った状態のまま包装硬貨保持部２０１に載置して、上述したように手動又は自動で包装硬貨１００を熱切断することができる。包装硬貨１００の軸方向他端側の巻込部を包装硬貨保持部２０１の溝部最奥部に突き当てて熱切断することで、溝部に突き当てた巻込部を残して、包装硬貨１００の円周方向に交差する方向に包装材を熱切断することができる。
【００９０】
熱切断時の包装硬貨１００の保持方法が、包装硬貨保持部２０１に形成した溝部に包装硬貨１００を載置する態様に限定されるものではなく、包装硬貨保持部２０１に設けた孔部に包装硬貨１００を挿入して保持する態様であってもよい。図１６は、包装硬貨保持部２２１に設けた孔部に包装硬貨１００を挿入する包装硬貨開封装置１の外観の例を示す図である。図１７は、図１６に示す包装硬貨開封装置１による熱切断の方法を説明するための図である。図１７（ａ）は、包装硬貨開封装置１の孔部に包装硬貨１００を挿入した際の装置断面を模式的に示している。図１７（ｂ）は、包装硬貨１００の包装材を熱切断する際の装置断面を模式的に示している。
【００９１】
図１６に示す包装硬貨開封装置１は、包装硬貨保持部２２１と基台部２２２を含む。包装硬貨保持部２２１の上面には報知部３０として機能するＬＥＤランプが設けられている。包装硬貨保持部２２１には、包装硬貨１００を挿入するための孔部が形成されている。孔部は、円柱形状の非貫通孔である。孔部の最下面近傍に、孔部に挿入された包装硬貨１００の軸方向に細長い矩形の貫通孔２２４が設けられている。孔部には、包装硬貨１００の挿入方向前端が孔内最奥部の側面に突き当たる所定位置まで包装硬貨１００が挿入されたことを検知するためのセンサ部４０が設けられている。
【００９２】
図１７（ａ）に示すように、包装硬貨保持部２２１は、複数のバネ材２２３によって、上下方向に移動可能に支持されている。バネ材２２３は一端が包装硬貨保持部２２１の下面に固定され、他端が基台部２２２の上面に固定されている。基台部２２２には発熱部１０が設けられている。また、基台部２２２には、包装硬貨保持部２２１の下方向への移動を所定範囲内に規制するための複数の規制部２２２ａが設けられている。
【００９３】
包装硬貨１００を包装硬貨保持部２２１の孔部に挿入した状態では、図１７（ａ）に示すように、バネ材２２３によって、包装硬貨１００と発熱部１０との間の隙間が維持される。包装硬貨保持部２２１を下方向に押し下げると、バネ材２２３が圧縮されて包装硬貨保持部２２１が下方へ移動し、図１７（ｂ）に示すように、発熱部１０が貫通孔２２４に進入する。そして、孔部内に露出した発熱部１０が、包装硬貨１００下面の包装材と接触する。
【００９４】
基台部２２２の規制部２２２ａは、包装硬貨保持部２２１の下面が規制部２２２ａに接触した際に、包装硬貨１００の下面が、発熱部１０と平行になるように設けられている。これにより、包装硬貨１００の下面を、発熱部１０の上面と平行な状態で発熱部１０に接触させることができる。
【００９５】
包装硬貨開封装置１が、手動操作を受け付けて熱切断を行う場合、利用者は、図１７（ａ）に示すように包装硬貨保持部２２１の孔部に包装硬貨１００を挿入する。そして、利用者は、一方の手で包装硬貨保持部２２１を押し下げると共に、他方の手で操作部５０を操作して包装硬貨１００の熱切断を指示する。操作部５０として、例えば、包装硬貨開封装置１の操作用に専用に設けた、図示しない押しボタンを利用する。
【００９６】
利用者が操作部５０で熱切断を指示する操作を行うと、これを認識した制御部６０は、図１７に示すセンサ部４０によって、包装硬貨１００の挿入方向前端が、包装硬貨保持部２２１の孔内最奥部まで挿入されているか否かを判定する。包装硬貨１００が最奥部まで挿入されていることを検知できた場合、制御部６０は、電源部２０をオンにする。
【００９７】
一方、包装硬貨１００が最奥部まで挿入されていない場合、制御部６０は、異常状態にあると判定し、報知部３０のＬＥＤランプを点滅させるなどして利用者に異常を報知する。報知を受けた利用者が、包装硬貨１００の挿入方向前端が包装硬貨保持部２２１の孔内最奥部に突き当たる位置まで包装硬貨１００を挿入し直すと、センサ部４０でこれを検知した制御部６０は、電源部２０をオンにする。また、制御部６０は、報知部３０による異常報知を停止してＬＥＤランプを消灯する。
【００９８】
このように、センサ部４０を利用して、包装硬貨１００が所定位置で保持されているか否かを検知してから熱切断を実行することにより、包装硬貨１００の挿入方向前端にある巻込部を切断せずに、巻込部を残して包装材を熱切断することができる。
【００９９】
図１７（ｂ）に示すように、包装材が発熱部１０に接触した状態で、発熱部１０が発熱して所定温度に達すると、包装硬貨１００の包装材が熱切断される。制御部６０は、発熱部１０の温度を監視するために設けたセンサ部４０で、発熱部１０が予め設定された設定温度に達したことを検知すると、電源部２０をオフにすると共に、報知部３０のＬＥＤランプを点灯して、熱切断を終えたことを利用者に報知する。報知部３０による報知を受けた利用者は、包装硬貨保持部２２１を押さえていた手を離して包装硬貨１００を取り出し、熱切断された切断線を利用して包装硬貨１００を開封する。熱切断完了を報知したＬＥＤランプは所定時間経過後に消灯する。
【０１００】
なお、操作部５０については、押しボタン等の専用のボタンを設ける態様の他、硬貨釣銭機３０１の操作部、紙幣釣銭機３０２の操作部、包装硬貨管理機３０３の操作部又はキャッシュレジスタの操作部を、操作部５０として利用する態様であってもよい。
【０１０１】
包装硬貨開封装置１が自動的に熱切断を行う場合、利用者は、図１７（ａ）に示すように包装硬貨保持部２２１の孔部に包装硬貨１００を挿入して、包装硬貨保持部２２１を押し下げる。制御部６０は、センサ部４０を利用して、包装硬貨１００の挿入方向前端が孔内最奥部に突き当たり、かつ、包装硬貨１００の包装材が発熱部１０に接触した状態になったか否かを判定する。センサ部４０による、包装硬貨１００の挿入位置の検知及び包装硬貨保持部２２１の押し下げ位置の検知は、上述したように光学式センサや機械式センサを用いて行う。
【０１０２】
包装硬貨１００の挿入方向前端が孔内最奥部に突き当たり、かつ、包装硬貨１００の包装材が発熱部１０に接触した状態になったことを検知すると、制御部６０は、電源部２０をオンにする。
【０１０３】
一方、包装硬貨１００の挿入方向前端が孔内最奥部に突き当たっていない、又は包装硬貨１００の包装材が発熱部１０に接触していない場合、制御部６０は、電源部２０をオンにせずオフのままとする。この場合、利用者が、包装硬貨１００の挿入方向前端が包装硬貨保持部２２１の孔内最奥部に突き当たる位置まで包装硬貨１００を挿入し直して、包装硬貨１００が発熱部１０に接触する位置まで押し下げると、センサ部４０でこれを検知した制御部６０が電源部２０をオンにする。
【０１０４】
電源部２０がオンになり、発熱部１０が発熱して所定温度に達すると、包装硬貨１００の包装材が熱切断される。制御部６０は、発熱部１０の温度監視用に設けたセンサ部４０で、発熱部１０が所定温度に達したことを検知すると、電源部２０をオフにすると共に、報知部３０のＬＥＤランプを点灯して、熱切断を終えたことを利用者に報知する。報知部３０による報知を受けた利用者は、包装硬貨保持部２２１を押さえていた手を離して包装硬貨１００を取り出し、熱切断された切断線を利用して包装硬貨１００を開封する。熱切断完了を報知したＬＥＤランプは所定時間経過後に消灯する。
【０１０５】
このように、包装硬貨保持部２２１の孔内に包装硬貨１００を挿入して熱切断を行う場合も、包装硬貨１００の包装材は、両端の巻込部１０１ａの間で、包装硬貨１００の円周方向と交差する方向に熱切断される。これにより、利用者は、包装硬貨１００を開封して硬貨を取り出す作業を容易に行うことができる。
【０１０６】
また、熱切断を手動で開始する場合も自動的に開始する場合も、電源部２０をオフにする制御は、発熱部１０の温度に基づいて自動的に行われる。これにより、発熱部１０が異常な高温となることを防止して、包装硬貨開封装置１を安全に使用することができる。
【０１０７】
なお、包装硬貨１００と発熱部１０を接触させる方法は、包装硬貨１００を押し下げて発熱部１０に接触させる態様に限定されず、上述した包装硬貨開封装置１の構造を上下方向に反転して、発熱部１０を押し下げて包装硬貨１００に接触させる態様であってもよい。また、包装硬貨１００又は発熱部１０を移動させる方法が手動に限定されるものではなく、自動的に移動させる態様であってもよい。
【０１０８】
図１８は、発熱部１０を自動的に移動させる例を示す図である。図１８に示す包装硬貨開封装置１は、図１７に示す包装硬貨開封装置１と略同一の外観を有するため、外観図は省略する。図１８に示す包装硬貨保持部２３１には、包装硬貨１００を挿入するための孔部が形成されている。孔部は、円柱形状の非貫通孔である。孔部の最下面近傍に、孔部に挿入された包装硬貨１００の軸方向に細長い矩形の貫通孔が形成されている。孔部には、挿入方向前端が孔内最奥部の側面に突き当たる所定位置まで包装硬貨１００が挿入されたことを検知するためのセンサ部４０が設けられている。
【０１０９】
また、包装硬貨保持部２３１内には、発熱部１０と、発熱部１０を支持する支持部６３と、支持部６３を上下に移動させる駆動部２３３とが設けられている。支持部６３は、孔部に挿入された包装硬貨１００の下面と発熱部１０の上面とが平行になるように、発熱部１０を支持している。
【０１１０】
駆動部２３３の駆動は制御部６０によって制御される。駆動部２３３の構成は特に限定されないが、例えば、ソレノイドを利用して駆動部２３３を構成する。また、例えば、モータと、該モータの回転軸に取り付けたカムとによって駆動部２３３を構成し、上下方向に移動可能に支持した支持部６３を、カムを回転させることによって上下移動させる。
【０１１１】
包装硬貨１００を包装硬貨保持部２２１の孔部に挿入した状態では、図１８（ａ）に示すように、包装硬貨１００と発熱部１０との間には隙間がある。駆動部２３３が支持部６３を押し上げると、発熱部１０が、孔部下面に形成された貫通孔から孔部内に進入し、図１８（ｂ）に示すように、発熱部１０の上面が包装硬貨１００下面の包装材に接触するようになっている。
【０１１２】
利用者は、図１８（ａ）に示すように包装硬貨保持部２３１の孔部に包装硬貨１００を挿入して、操作部５０で熱切断を指示する操作を行う。これを認識した制御部６０は、図１８に示すセンサ部４０によって、包装硬貨１００の挿入方向前端が、包装硬貨保持部２３１の孔内最奥部まで挿入されているか否かを判定する。包装硬貨１００が最奥部まで挿入されていることが検知できた場合、制御部６０は、電源部２０をオンにする。
【０１１３】
一方、包装硬貨１００が最奥部まで挿入されていない場合、制御部６０は、異常状態にあると判定し、報知部３０のＬＥＤランプを点滅させるなどして利用者に異常を報知する。報知を受けた利用者が、包装硬貨１００の挿入方向前端が包装硬貨保持部２２１の孔内最奥部に突き当たる位置まで包装硬貨１００を挿入し直すと、センサ部４０でこれを検知した制御部６０は電源部２０をオンにする。
【０１１４】
続いて、制御部６０は、駆動部２３３を駆動して、発熱部１０を支持する支持部６３を上昇させて、図１８（ｂ）に示すように、発熱部１０を包装材に接触させる。電源部２０がオンになり発熱部１０が発熱して所定温度に達すると、包装硬貨１００の包装材が熱切断される。制御部６０は、発熱部１０の温度を監視するために設けたセンサ部４０で、発熱部１０が所定温度に達したことを検知すると、電源部２０をオフにする。熱切断を終えると、制御部６０は、再び駆動部２３３を制御して支持部６３を降下させる。ただし、発熱部１０が所定温度に達したことを検知してから駆動部２３３を駆動して発熱部１０を上昇させ、包装硬貨１００の包装材に接触させて熱切断した後、発熱部１０を降下させる態様であってもよい。
【０１１５】
支持部６３を降下させた制御部６０は、報知部３０のＬＥＤランプを点灯して、熱切断を終えたことを利用者に報知する。報知部３０による報知を受けた利用者は、包装硬貨保持部２３１から包装硬貨１００を取り出し、熱切断された切断線を利用して包装硬貨１００を開封する。熱切断完了を報知したＬＥＤランプは所定時間経過後に消灯する。
【０１１６】
操作部５０については、押しボタン等の専用のボタンを設ける態様の他、硬貨釣銭機３０１の操作部、紙幣釣銭機３０２の操作部、包装硬貨管理機３０３の操作部又はキャッシュレジスタの操作部を、操作部５０として利用する態様であってもよい。また、操作部５０を利用せず、図１８に示すセンサ部４０で、包装硬貨１００が挿入されたことを検知した制御部６０が、自動的に熱切断に係る動作を実行する態様であってもよい。
【０１１７】
発熱部１０として、金属製又は非金属製の電熱線等、発熱体を利用する他、熱源としてレーザ照射装置を利用する態様であってもよい。図１９は、レーザ光を照射して包装材を熱切断する方法を説明するための図である。図１９に示すように、包装硬貨１００の包装材を、包装硬貨１００の円周方向と交差する方向に熱切断することができれば、包装硬貨１００の位置を固定してレーザ照射装置（レーザ照射部）１１を軸方向に移動させてもよいし、レーザ照射装置１１の位置を固定して包装硬貨１００を軸方向に移動させてもよいし、レーザ照射装置１１及び包装硬貨１００の両方を移動させてもよい。また、固定配置したレーザ照射装置１１からレーザ光を照射し、包装硬貨１００の包装材表面をレーザ光が走査するようにレーザ光の照射方向を制御して熱切断する態様であってもよい。包装硬貨１００の包装材にレーザ光が当たる位置を移動させることにより、包装硬貨１００の包装材を熱切断することができる。
【０１１８】
金融機関等では、大型の貨幣処理装置で大量の包装硬貨を処理する場合がある。例えば、大量の硬貨を所定枚数ずつ包装して包装硬貨を作成する装置があるが、包装不良等のエラーが発生した場合には、硬貨を包装し直すために包装硬貨を開封する必要がある。また、例えば、店舗から回収した大量の包装硬貨に含まれる硬貨の金種及び枚数を確認する場合に、包装硬貨を開封する必要がある。このように複数の包装硬貨を連続して開封する場合に、レーザ光によって包装硬貨を開封する包装硬貨開封装置１を利用する。
【０１１９】
図２０は、複数の包装硬貨１００を連続搬送する貨幣処理装置に設けた包装硬貨開封装置１を説明するための図である。図２０（ａ）は、包装硬貨開封装置１で包装硬貨１００を開封する方法を示し、図２０（ｂ）は包装硬貨１００の包装材を熱切断した切断線１１０の例を示している。図１で説明した構成に加えて、図２０に示すように包装硬貨１００が搬送される搬送路７０と、レーザ光を通すために搬送路７０に設けられたレーザ孔７１と、搬送路７０を搬送されてきた包装硬貨１００を検知するセンサ部４０と、レーザ照射装置１１とを設けて包装硬貨開封装置１を構成する。
【０１２０】
搬送路７０は、貨幣処理装置が複数の包装硬貨１００を連続搬送する搬送路の一部を形成している。貨幣処理装置が処理する包装硬貨が搬送路７０を搬送されてくると、包装硬貨開封装置１の制御部６０は、搬送路７０に設けたセンサ部４０によって包装硬貨１００を検知する。制御部６０は、発熱部１０として機能するレーザ照射装置１１を制御して、包装硬貨１００がレーザ孔７１の位置を通過するタイミングに合わせてレーザ光を出射して包装硬貨１００の包装材を熱切断する。
【０１２１】
具体的には、例えば、図２０に示すセンサ部４０で包装硬貨１００の搬送方向前端を検知した制御部６０は、レーザ照射装置１１を制御してレーザ光の照射を開始する。搬送路７０を搬送される包装硬貨１００がレーザ孔７１の位置を通過する際に、包装硬貨１００の包装材が熱切断される。制御部６０は、センサ部４０で包装硬貨１００の搬送方向後端を検知してから所定時間後にレーザ照射装置１１を制御してレーザ光の照射を停止する。これにより、図２０（ｂ）に示すように、包装硬貨１００の巻込部１０１ａを含む軸方向全体で包装材を切断することができる。包装硬貨１００が搬送されてくる度に、これを検知してレーザ光を照射することにより、連続して搬送される複数の包装硬貨１００を順に熱切断することができる。
【０１２２】
制御部６０は、搬送路７０を搬送されてくる包装硬貨１００の金種、軸方向長さ、搬送速度等の情報を貨幣処理装置から取得して、包装硬貨１００の軸方向長さと搬送タイミングに合わせて、レーザ照射装置１１を制御する。
【０１２３】
制御部６０が、搬送路７０を搬送される包装硬貨１００の位置に合わせて、レーザ光の照射を開始するタイミング及び停止するタイミングを制御することにより、包装硬貨１００の包装材を軸方向全体にわたって熱切断する設定の他、軸方向両端にある巻込部１０１ａのうち一方又は両方を残して熱切断する設定とすることもできる。
【０１２４】
例えば、包装硬貨１００の搬送方向前方の巻込部１０１ａが通過した後にレーザ照射装置１１によるレーザ光の照射を開始して、包装硬貨１００が通過し終えた後にレーザ光の照射を停止する設定とする。これにより、熱切断による切断線を、搬送方向前方の巻込部１０１ａを残して、搬送方向後方の巻込部１０１ａを含む軸方向に長い形状とすることができる。
【０１２５】
また、包装硬貨１００の搬送方向前方の巻込部１０１ａが到来する前にレーザ照射装置１１によるレーザ光の照射を開始して、搬送方向後方の巻込部１０１ａが到来する前にレーザ光の照射を停止する設定とする。これにより、熱切断による切断線を、搬送方向後方の巻込部１０１ａを残して、搬送方向前方の巻込部１０１ａを含む軸方向に長い形状とすることができる。
【０１２６】
また、包装硬貨１００の搬送方向前方の巻込部１０１ａが通過した後にレーザ照射装置１１によるレーザ光の照射を開始して、搬送方向後方の巻込部１０１ａが到来する前にレーザ光の照射を停止する設定とする。これにより、熱切断による切断線を、搬送方向前方の巻込部１０１ａ及び搬送方向後方の巻込部１０１ａの両方を残して、軸方向に長い形状とすることができる。
【０１２７】
図２１は、貨幣処理装置で利用する包装硬貨開封装置１の例を示す図である。図２１（ａ）は、貨幣処理装置の搬送路４１０の一部を示す図である。図２１（ｂ）は、搬送路４１０で包装硬貨１００を熱切断する方法を示す図である。
【０１２８】
図２１（ａ）に示すように、搬送路４１０は、包装硬貨１００を搬送する搬送ベルト４１２と、搬送ベルト４１２が搬送する包装硬貨１００を側方からガイドするガイド部４１１とを含む。搬送ベルト４１２は、例えば、複数のローラに掛け渡された無端ベルトで、モータ等の駆動部によって駆動される。ガイド部４１１には、搬送路４１０の下方に設けられたレーザ照射装置１１から照射したレーザ光を通過させるレーザ孔４１３が形成されている。
【０１２９】
図２１（ｂ）に示すように、ガイド部４１１及び搬送ベルト４１２は、水平方向両外側が高い、傾いた略Ｌ字型に配置されている。制御部６０は、搬送ベルト４１２によって搬送される包装硬貨１００を、図示しないセンサ部４０で検知する。制御部６０は、検知した包装硬貨１００がレーザ孔４１３の配置位置を通過するタイミングに合わせて、レーザ照射装置１１によるレーザ光の照射を制御する。これにより、上述したように、包装硬貨１００の包装材を熱切断することができる。
【０１３０】
図２２は、別の貨幣処理装置で利用する包装硬貨開封装置１の例を示す図である。図２２（ａ）は、貨幣処理装置の一部を側方から見た側面図である。図２２（ｂ）は、包装硬貨１００の搬送方向前方側から見た貨幣処理装置の正面図である。
【０１３１】
図２２（ａ）に示す貨幣処理装置は、搬送レール４２１と、搬送路４２２と、ガイド部４２３とを含む。貨幣処理装置を構成する枠体には、レーザ照射装置１１及び電源部２０が設置されている。複数の包装硬貨１００が、矢印で示す方向に搬送レール４２１上を連続して搬送されてくる。包装硬貨１００は、搬送レール４２１から搬送路４２２へ受け渡される。搬送路４２２は、複数の円柱形状のローラにベルトを掛け渡したベルトコンベアである。搬送レール４２１で搬送された包装硬貨１００は、搬送路４２２によって搬送され、回収箱内に落下する。搬送路４２２が包装硬貨１００を搬送する途中で、レーザ照射装置１１から照射されたレーザ光により包装硬貨１００の包装材が熱切断される。
【０１３２】
図２２（ｂ）に示すように、搬送路４２２及びガイド部４３１は、水平方向両外側が高い、傾いた略Ｌ字型に配置されている。搬送路４２２とガイド部４３１との間にある隙間からレーザ光が上方へ通過するようにレーザ照射装置１１が配置されている。搬送路４２２で包装硬貨１００を搬送すると、制御部６０は、図示しないセンサ部４０でこれを検知する。制御部６０は、検知した包装硬貨１００がレーザ光の照射位置を通過するタイミングに合わせて、レーザ照射装置１１によるレーザ光の照射を制御する。これにより、上述したように、包装硬貨１００の包装材を熱切断することができる。包装材を熱切断された包装硬貨１００は、そのまま搬送路４２２を搬送されて回収箱４３０内に落下する。
【０１３３】
このように、包装硬貨１００を、包装硬貨１００の軸方向と平行に搬送する搬送路にレーザ照射装置１１を配置すれば、包装硬貨１００の包装材を軸方向に平行に熱切断することができる。
【０１３４】
包装硬貨１００が軸方向と垂直な方向に搬送される場合は、レーザ照射装置１１から照射するレーザ光の方向を制御して、レーザ光が包装硬貨１００に当たる位置を包装硬貨１００の軸方向に移動させればよい。これにより、包装硬貨１００の包装材を軸方向に熱切断することができる。包装硬貨１００を軸方向と垂直な方向に搬送しながらレーザ光が当たる位置を包装硬貨１００の軸方向に移動させれば、図２（ｃ）に示すように、円周方向と交差する方向に包装材を切断することができる。ただし、包装硬貨１００を軸方向と垂直な方向に搬送すると包装硬貨１００自体が回転するため、熱切断による切断線を所定形状とするには包装硬貨１００を軸方向に搬送することが好ましい。
【０１３５】
本実施形態では、電熱線等の発熱体やレーザ照射装置を熱源とする発熱部１０を示したが、発熱部１０がこれらに限定されるものではない。例えば、ポイントヒータ、ラインヒータ等の熱照射装置を発熱部１０として利用する。ポイントヒータは、ハロゲンランプから発する光をミラーで集光して対象物に照射する装置である。ラインヒータは、線形状のハロゲンヒータから発する熱をミラーで線形状に放射する装置である。また、例えば、ホットジェットと呼ばれる熱放射装置を発熱部１０として利用する。ホットジェットは、ノズルから熱を照射する装置である。また、例えば、窒化ケイ素ヒータ（ＳＮヒータ）等のセラミックヒータを発熱部１０として利用する。包装硬貨の包装を熱切断可能な熱を発する装置であれば、発熱部１０として利用することができる。
【０１３６】
本実施形態では、包装硬貨１００の包装材を、包装硬貨１００の軸方向と平行に、又は軸方向に対して斜めに、直線状の切断線が形成されるように熱切断する態様を示したが、熱切断の方法がこれらに限定されるものではない。例えば、熱切断した際の切断線が、直線状ではなく、サイン波形、円弧状等の曲線状になってもよいし、鋸歯形に折れ曲がった複数の直線で形成されていてもよい。また、包装材に形成される切断線が連続する線形状又は曲線形状である態様の他、包装材に複数の切断線が形成される態様であってもよい。切断線の形状は、発熱部１０として利用する発熱体の形状に応じた形状となる。例えば、上方から見た形状がサイン波形状の発熱部１０に、包装硬貨１００の包装材を上方から押し当てて、サイン波形に連続する曲線形状の切断線を形成する態様であってもよい。また、例えば、側方から見た形状がサイン波形状の発熱部１０に、包装硬貨１００の包装材を上方から押し当てて、所謂切り取り線のように破線状の切断線を形成する態様であってもよい。包装硬貨１００の円周方向と交差する方向に、包装材を熱切断した１つ又は複数の切断線を形成することができれば、切断線の形状は特に限定されない。
【０１３７】
本実施形態の図２では、図２（ｂ）に示すように軸方向に平行に熱切断する態様と、図２（ｃ）に示すように軸方向に対して斜め方向に熱切断する態様を示したが、いずれを採用するかは包装硬貨開封装置１の利用者の運用に応じて適宜決定される。
【０１３８】
本実施形態の図４等では、包装硬貨１００の軸方向両端の巻込部を残して熱切断する態様を示したが、利用者の運用に応じて、両端の巻込部のいずれか一方又は両方を熱切断する態様であってもよい。発熱部１０の形状と、発熱部１０を包装硬貨１００に押し当てるために形成された貫通孔２０４の形状とを変更すれば、軸方向両端の巻込部のうち少なくともいずれか一方を熱切断する構成とすることができる。
【０１３９】
同様に、図１５、図１７、図１８等では、包装硬貨１００の軸方向両端の巻込部を残して熱切断する態様を示したが、利用者の運用に応じて、包装硬貨開封装置１に載置又は挿入する一端側の巻込部を熱切断する態様であってもよい。発熱部１０の形状と、発熱部１０を包装硬貨１００に押し当てるために形成された貫通孔の形状とを変更すれば、包装硬貨開封装置１に載置又は挿入する一端側の巻込部を熱切断する構成とすることができる。
【０１４０】
本実施形態では、包装硬貨１００の包装材を熱切断する例を説明したが、包装硬貨１００の軸方向又は軸方向に対して斜めに包装材を切断することができれば、熱切断以外の方法で切断する態様であってもよい。例えば、機械的に切断する方法であってもよいし、液体や気体を噴射して切断する方法であってもよい。
【０１４１】
上述してきたように、本実施形態に係る包装硬貨開封装置１によれば、包装硬貨１００の包装材を、包装硬貨１００の円周方向と交差する方向、すなわち軸方向と平行な方向又は軸方向と角度を成す斜め方向に、熱切断することができる。包装硬貨開封装置１を、包装硬貨１００の軸方向両端にある２つの巻込部を残して熱切断する構成とすることもできるし、２つの巻込部を含む軸方向全体を熱切断する構成とすることもできる。また、２つの巻込部のうちいずれか一方のみを熱切断する構成とすることもできる。包装硬貨開封装置１を利用者の運用に応じた構成として、包装硬貨１００の包装材に、包装硬貨１００の円周方向と交差する長い切断線を形成することができる。これにより、包装材が手作業では簡単に切れないような材質である場合も、利用者は包装硬貨１００を開封して硬貨を取り出す作業を容易に行うことができる。また、包装硬貨１００の包装材を熱切断することにより、硬貨に傷を付けることなく切断線を形成することができる。
【産業上の利用可能性】
【０１４２】
以上のように、本発明に係る包装硬貨開封装置は、包装された硬貨を取り出しやすいように開封するために有用である。
【符号の説明】
【０１４３】
１  包装硬貨開封装置
１０  発熱部
１１  レーザ照射装置
２０  電源部
３０  報知部
４０  センサ部
５０  操作部
６０  制御部
６３  支持部
７０、４１０、４２２  搬送路
２０１、２０８、２１１、２２１、２３１  包装硬貨保持部
２０２、２１２、２２２  基台部
２０３、２１３、２２３  バネ材
２０５  蓋体
２０９  シャッター駆動部
２３３  駆動部
【図１】
2018142144.tif 000003
【図２】
2018142144.tif 000004
【図３】
2018142144.tif 000005
【図４】
2018142144.tif 000006
【図５】
2018142144.tif 000007
【図６】
2018142144.tif 000008
【図７】
2018142144.tif 000009
【図８】
2018142144.tif 000010
【図９】
2018142144.tif 000011
【図１０】
2018142144.tif 000012
【図１１】
2018142144.tif 000013
【図１２】
2018142144.tif 000014
【図１３】
2018142144.tif 000015
【図１４】
2018142144.tif 000016
【図１５】
2018142144.tif 000017
【図１６】
2018142144.tif 000018
【図１７】
2018142144.tif 000019
【図１８】
2018142144.tif 000020
【図１９】
2018142144.tif 000021
【図２０】
2018142144.tif 000022
【図２１】
2018142144.tif 000023
【図２２】
2018142144.tif 000024